(57)【特許請求の範囲】
【請求項１】
無段変速機のためのリンクプレートチェーンにおいて、
多数のチェーンリンクが設けられていて、これらのチェーンリンクが、隣接し合う２つのチェーンリンクにそれぞれ接していて、それぞれ多数のリンクプレートを有しており、
それぞれ２つの互いに接し合うチェーンリンクを旋回可能に接続し、かつ、それぞれ少なくとも２つのクレードル部材を有する多数のジョイント装置が設けられており、
少なくとも１つの緊締防止装置が設けられており、
前記緊締防止装置は、前記リンクプレートの少なくとも一部に形成された少なくとも１つの突起を備え、前記突起が、所定の状態下で、前記隣接し合うクレードル部材対の１つのクレードル部材に突き当たるようになっており、前記チェーンリンクが直線状に整列される相対位置の方向で、或いは隣接し合う２つのチェーンリンクの前記リンクプレートが旋回される方向で、緊締力又はこれと類似のものによって前記チェーンリンクの相対運動が阻止される相対位置に、前記隣接し合う２つのチェーンリンクが移動するのを阻止するようになっていることを特徴とする、リンクプレートチェーン。
【請求項２】
無段変速機のためのリンクプレートチェーンにおいて、
多数のチェーンリンクが設けられており、これらのチェーンリンクが、隣接し合う２つのチェーンリンクにそれぞれ接していて、それぞれ多数のリンクプレートを有しており、 多数のジョイント装置が設けられており、これらのジョイント装置が、互いに隣接し合うそれぞれ２つのチェーンリンクを旋回可能に接続し、それぞれ少なくとも２つのクレードル部材を有しており、
少なくとも２つの旋回制限装置が設けられており、
前記旋回制限装置の各々は、前記リンクプレートの少なくとも一部に形成された少なくとも１つの突起を備え、前記突起が、所定の状態下で、前記隣接し合うクレードル部材対の１つのクレードル部材に突き当たるようになっており、９ｍｍより大きいピッチを有する前記チェーンリンクと隣接する前記チェーンリンクとの間の旋回角度（α）が、少なくとも一方の旋回方向で３０゜よりも小さくなるように保証することを特徴とする、リンクプレートチェーン。
【請求項３】
無段変速機のためのリンクプレートチェーンにおいて、
多数のチェーンリンクが設けられていて、これらのチェーンリンクが、隣接し合う２つのチェーンリンクにそれぞれ接していて、それぞれ多数のリンクプレートを有しており、
多数のジョイント装置が設けられていて、これらのジョイント装置が、互いに隣接し合う２つのチェーンリンクをそれぞれ旋回可能に接続し、それぞれ少なくとも２つのクレードル部材を有しており、
同一のジョイント装置に配属された２つの前記クレードル部材が、前記ジョイント装置によって接続された前記チェーンリンクの往復旋回運動後に、その互いの初期の相対位置、及びチェーンリンクに対する相対位置を有することを保証する、少なくとも１つの装置が設けられており、
該装置は、前記リンクプレートの少なくとも一部に形成された少なくとも１つの突起を備え、前記突起が、所定の状態下で、前記隣接し合うクレードル部材対の１つのクレードル部材に突き当たるようになっていることを特徴とする、リンクプレートチェーン。
【請求項４】
無段変速機のためのリンクプレートチェーンにおいて、
多数のチェーンリンクが設けられていて、これらのチェーンリンクが、隣接し合う２つのチェーンリンクにそれぞれ接していて、それぞれ多数のリンクプレートを有しており、
多数のジョイント装置が設けられていて、これらのジョイント装置が、互いに隣接し合うそれぞれ２つのチェーンリンクを旋回可能に接続し、それぞれ少なくとも２つのクレードル部材を有しており、
前記リンクプレートの少なくとも一部が、前記クレードル部材を受容するための少なくとも１つの開口を有していて、前記リンクプレートの壁厚が、それぞれ前記リンクプレートの端部から長手方向に、長手方向で直ぐ近くに位置する開口の端部まで、チェーン内側に向けられた領域内で、長手方向の両方向で異なっており、
前記リンクプレートの少なくとも一部が、少なくとも１つの突起を備え、前記突起が、所定の状態下で、前記隣接し合うクレードル部材対の１つのクレードル部材に突き当たるようになっていることを特徴とする、リンクプレートチェーン。
【請求項５】
前記突起が、リンクプレートチェーンの走行方向に配置された端面側に延びていて、該端面側の、チェーン内側に向けられた領域内に配置されていることを特徴とする、請求項１から４までのいずれか１項記載のリンクプレートチェーン。
【請求項６】
前記旋回角度（α）が、少なくとも一方の旋回方向で２７゜よりも小さくなるように保証することを特徴とする、請求項２記載のリンクプレートチェーン。
【請求項７】
前記突起を有するリンクプレートが、前記突起に向けられた、前記リンクプレートのジョイント軸線を中心にして隣接する前記リンクプレートに対して相対的に所定の角度だけ旋回せしめられた時に、前記少なくとも１つの突起が、前記隣接し合うクレードル部材対の１つのクレードル部材に突き当たり、前記隣接し合うリンクプレート内に前記クレードル部材対が受容されていて、前記クレードル部材対に、前記突起側のジョイント軸線が向けられている、請求項１から６までのいずれか１項記載のリンクプレートチェーン。
【請求項８】
前記リンクプレートチェーンが、前記リンクプレートチェーンによってトルクが第１の円すいベルト車対から第２の円すいベルト車対に伝達され、この際に各円すいベルト車対の円すいベルト車の先細りした端部が互いに向き合っていて、同じ円すいベルト車対に向けられた各円すいベルト車が軸方向で調節されて、同じ円すいベルト車対に配属された円すいベルト車の間隔が変えられるようになっていて、この場合、前記リンクプレートと各円すいベルト車対との間の接触領域が半径方向で変化せしめられ、それによって各円すいベルト車対における前記リンクプレートチェーンの巻き掛け曲率半径が変えられるようになっている、請求項１から７までのいずれか１項記載のリンクプレートチェーン。
【請求項９】
緊締防止装置、旋回制限装置、互いに向き合った２つのクレードル部材が往復旋回運動後に初期の相対位置に移動せしめられることを保証する装置、又はリンクプレートの少なくとも１つの突起が、それぞれ互いに隣接し合う前記チェーンリンクが互いに旋回せしめられて、前記円すいベルト車対の所定の最小巻き掛け曲率半径において前記リンクプレートの機能性に不都合な影響を与えないように構成されている、請求項８記載のリンクプレートチェーン。
【請求項１０】
少なくとも１つの第２のチェーンリンクが、第１の長さを有する第１のリンクプレートを有していて、少なくとも１つの第２のチェーンリンクが、第２の長さを有する第２のリンクプレートを有しており、第１の長さが第２の長さよりも小さい、請求項１から９までのいずれか１項記載のリンクプレートチェーン。
【請求項１１】
少なくとも１つの第１のチェーンリンクが、第１の突起を有する第１のリンクプレートを有していて、少なくとも１つの第２のチェーンリンクが、第２の突起を有する第２のリンクプレートを有していて、この場合、第２の突起が第１の突起よりも小さい、請求項１から１０までのいずれか１項記載のリンクプレートチェーン。
【請求項１２】
隣接し合う２つの前記チェーンリンクの旋回角度を制限する前記突起が、１つの前記リンクプレートに配置されていて、該リンクプレートが第２の長さ及び第２のピッチの少なくとも一方を有している、請求項１から１１までのいずれか１項記載のリンクプレートチェーン。
【請求項１３】
前記突起が前記クレードル部材の接触領域に突き当たる際に接触する接触領域における突起の幾何学形状が、前記突起の接触領域の幾何学形状に合致している、請求項１から１２までのいずれか１項記載のリンクプレートチェーン。
【請求項１４】
少なくとも２つの前記チェーンリンクにおいて、そのそれぞれの前記リンクプレートの長さ及びピッチの少なくとも一方が異なっており、
少なくとも１つの第１のチェーンリンクの前記リンクプレートが第１の長さ及び第１のピッチの少なくとも一方を有しており、
少なくとも１つの第２のチェーンリンクの前記リンクプレートが第２の長さ及び第２のピッチの少なくとも一方を有しており、
第１の長さ及び第１のピッチの少なくとも一方を有する第１のリンクプレートを備えた第１のチェーンリンクと、これに隣接する、第１の長さ及び第１のピッチの少なくとも一方を有する第１のリンクプレートを備えたチェーンリンクとの間の第１の旋回角度が、第１の最大旋回角度に制限されており、
第２の長さ及び第２のピッチの少なくとも一方を有する第２のリンクプレートを備えた第２のチェーンリンクと、これに隣接する、第２の長さ及び第２のピッチの少なくとも一方を有する第２のリンクプレートを備えたチェーンリンクとの間の第２の旋回角度が、第２の最大旋回角度に制限されており、
【数１】
0004915001.tif 000002
αｍａｘ、１：第１の最大旋回角度、
ｐ１：第１のピッチ、
ｐ２：第２のピッチ、
αｍａｘ、２：第２の最大旋回角度である、
請求項１から１３までのいずれか１項記載のリンクプレートチェーン。
【請求項１５】
少なくとも１つの第１の前記最大旋回角度（αｍａｘ、１）が１５゜〜２５゜の間である、請求項１４記載のリンクプレートチェーン。
【請求項１６】
隣接し合う２つの前記チェーンリンクの旋回角度が、チェーン内側の方向で、少なくとも１つの前記リンクプレートの外側輪郭とストッパとの協働によって第１の最大旋回角度に制限され、チェーン外側方向での前記チェーンリンクの旋回角度が、少なくとも１つの前記リンクプレートのリンクプレート内側輪郭とストッパとの協働によって第２の最大旋回角度に制限され、この場合少なくとも１つの前記クレードル部材がストッパとして働く、請求項１から１５までのいずれか１項記載のリンクプレートチェーン。
【請求項１７】
前記チェーンリンクがチェーンの内側方向に旋回する際に、隣接し合う２つの前記チェーンリンクの緊締が、少なくとも１つの前記リンクプレートの外側輪郭とストッパとしての前記クレードル部材との協働によって阻止され、チェーン外側方向で旋回する際のチェーンリンクの緊締が、ストッパを有する少なくとも１つの前記リンクプレートの内側輪郭との協働によって阻止される、請求項１から１６までのいずれか１項記載のリンクプレートチェーン。
【請求項１８】
少なくとも１つの第３のチェーンリンクが、前記第３のチェーンリンクに隣接する、第４のチェーンリンクに対して旋回せしめられ、
前記第３のチェーンリンクが少なくとも１つの第３のリンクプレートを有しており、
前記第４のチェーンリンクが少なくとも１つの第４のリンクプレートを有しており、
少なくとも１つの前記第３のリンクプレートが、前記ジョイント装置によって少なくとも１つの前記第４のリンクプレートに枢着されており、
前記ジョイント装置が少なくとも１つの前記クレードル部材を有しており、
該クレードル部材が、前記第３のリンクプレートの少なくとも１つの開口内で又は前記開口を通って、及び／又は前記第４のリンクプレートの少なくとも１つの開口内で又は前記開口を通って延びており、
該クレードル部材が、前記第３のチェーンリンクが前記第４のチェーンリンクに対して旋回する際に、少なくも１つの前記第３のリンクプレート及び前記第４のリンクプレートの少なくとも一方に対して移動又は旋回せしめられるようになっている、
請求項１から１７までのいずれか１項記載のリンクプレートチェーン。
【請求項１９】
少なくとも１つの前記第３のリンクプレートと少なくとも１つの前記第４のリンクプレートとを枢着接続する前記ジョイント装置が、第３のクレードル部材を有しており、該第３のクレードル部材は、前記第３のチェーンリンクが前記第４のチェーンリンクに対して旋回する際に少なくとも１つの前記第４のリンクプレートに向かって移動せしめられるようになっており、また第４のクレードル部材が設けられていて、該第４のクレードル部材が、前記第４のチェーンリンクに対して前記第３のチェーンリンクが旋回する際に、少なくとも１つの前記第３のリンクプレートに対して移動せしめられる、請求項１８記載のリンクプレートチェーン。
【請求項２０】
請求項１から１９までのいずれか１項記載のリンクプレートチェーンを備えた自動車のための無段変速機。
【発明の詳細な説明】
【０００１】
【発明の属する技術分野】
本発明は、特に無段変速機でトルク伝達のために使用されるリンクプレートチェーン（Ｌａｓｃｈｅｎｋｅｔｔｅ）に関する。
【０００２】
【従来の技術】
リンクプレートチェーン及び、前記無段変速機のためにリンクプレートチェーンも既に公知である。
【０００３】
【発明が解決しようとする課題】
本発明の課題は、別の構成のリンクプレートチェーンを提供することである。
【０００４】
本発明の特別な観点によれば、本発明の課題は、改善された運転確実性が保証され、安価に製造可能で構造的に簡単な構成されたリンクプレートチェーンを提供することである。
【０００５】
本発明の特別な観点によれば、本発明の課題は、製造公差によって運転確実性に不都合な影響が及ぼされることが少ないリンクプレートチェーンを提供することである。
【０００６】
本発明の特別な観点によれば、本発明の課題は、簡単な形式で取り扱い及び組み立てができ、無段変速機に組み付けることができるようなリンクプレートチェーンを提供することである。
【０００７】
本発明の特別な観点によれば、本発明の課題は、耐用年数が長く、摩耗しにくいリンクプレートチェーンを提供することである。
【０００８】
【課題を解決するための手段】
前記課題は、本発明によれば、以下の説明又は請求項に記載され又は図面に示された複数の特徴のうちの少なくとも１つの特徴を有する、リンクプレートチェーン、又はこのリンクプレートチェーンを有する無段変速機、又はこのリンクプレートチェーンを製造するための方法によって解決された。
【０００９】
前記課題は特に、請求項１又は請求項２又は請求項３又は請求項４又は請求項５又は請求項６又は請求項７又は請求項８又は請求項９又は請求項１０又は請求項１１又は請求項１２によって解決された。
【００１０】
さらに前記課題は、請求項４２に記載した無段変速機によって解決された。
【００１１】
さらに前記課題は、請求項４３に記載したリンクプレートチェーンを製造するための方法によって解決された。
【００１２】
【発明の効果】
本発明によれば緊締防止装置（Ａｎｔｉ−Ｖｅｒｋｌｅｍｍｓｉｃｈｅｒｕｎｇ）が設けられている。この緊締防止装置は、互いに隣接し合う２つのチェーンリンクが、締め付け力又はこれと類似のものがチェーンリンクに作用する相対位置に移動するのを阻止し、これらの隣接し合うチェーンリンクが、ほぼ直線状（ｌｉｎｅａｒ）に整列される相対位置の方向に移動せしめられるのを阻止するか又は少なくとも困難にする。緊締防止装置は特に、チェーンリンクのリンクプレートが開口を有していて、この開口内にクレードル部材が延びている場合に、隣接し合う２つのチェーンリンクのリンクプレートが旋回せしめられた時に、これらのリンクプレートとクレードル部材との間に締め付け力が生じ、この締め付け力によってチェーンリンク若しくはリンクプレートが旋回されない位置に運動するのに抗して働くように、構成されている。本発明によれば特に、隣接し合うチェーンリンクのリンクプレート間、若しくはこれらのチェーンリンクを互いに旋回可能に枢着するクレードル部材間に次のような締め付け力が働くことが避けられるようになっている。即ち、チェーンの重力によって、旋回させられたチェーンリンクを接続するジョイント装置を中心にしたトルクが生ぜしめられた時に、つまり特にチェーンが重力の影響を受けた垂れ下がった時に、旋回せしめられたチェーンリンクを特に直線的に整列させるために、チェーンの重力が十分でないような締め付け力が働くことが避けられる。
【００１３】
またこの緊締防止装置は、隣接し合う２つのチェーンリンクが、これらのチェーンリンクが第１の旋回方向で互いに旋回せしめられる単数若しくは複数の相対位置で緊締されるのを阻止するか、又はチェーンリンクが、前記第１の旋回方向とは逆方向の第２の旋回方向でで互いに旋回せしめられる単数若しくは複数の相対位置で緊締せしめられるのを阻止するか、又はこのチェーンリンクが両旋回方向で緊締されるのを阻止するように構成されている。
【００１４】
旋回若しくは旋回方向のための、互いに隣接し合うチェーンリンクの基準位置は、本発明では特に、隣接し合うチェーンリンクが実質的に直線状に整列されている相対位置である。
【００１５】
特に緊締防止装置は、隣接し合う２つのチェーンリンクが、チェーンリンク内側方向に旋回せしめられる単数若しくは複数の相対位置で緊締されるのを阻止するように構成されている。
【００１６】
隣接し合うチェーンリンクの緊締とは、本発明では特に、これらのチェーンリンクの相対可動性（少なくとも前記基準位置の方向での）がロックされる、という意味である。この緊締は場合によっては、１つのチェーンリンク並びに隣接するチェーンリンクの単数又は複数のリンクプレートが共通のジョイント装置のクレードル部材でそれぞれ互いに相対回動不能に固定され、これら２つのクレードル部材が互いに相対的に緊締されるか、若しくはそれぞれ他方のクレードル部材と、他方のチェーンリンクの少なくとも１つのリンクプレートとの間の少なくとも１つのクレードル部材が緊締されるという形式のものである。他方のチェーンリンクはこの意味では、当該のクレードル部材が例えば形状結合（形状による束縛；Ｆｏｒｍｓｃｈｌｕｓｓ）を介して相対回動不能に連結されるチェーンリンクのことである。
【００１７】
前記課題は、請求項２に記載したリンクプレートチェーンによって解決される。
【００１８】
本発明によれば特に、多数の旋回可能に接続された（枢着された）チェーンリンクと旋回制限装置とを有するリンクプレートが設けられている。チェーンリンクの少なくとも一部が、９ｍｍと同じか又はこれよりも小さいピッチを有している。
【００１９】
ピッチ（Ｔｅｉｌｕｎｇ）とは、本発明においては特に、隣接し合う２つのジョイント装置の隣接し合うそれぞれ２つのジョイント軸線を有する間隔のことである。本発明によれば特に、チェーンの走行方向で互いに連続する多数のチェーンリンクが設けられており、そのピッチは、約５ｍｍ〜約１５ｍｍ又はこれよりも大きいか、或いは約５ｍｍ〜約１５ｍｍ又はこれよりも大きいピッチを有するチェーンリンクが走行方向の両側でチェーンリンクに接していて、そのピッチが約５ｍｍ〜薬１５ｍｍよりも小さく有利には９ｍｍである。特に有利にはリンクプレートチェーンは、ピッチが６．５ｍｍ〜８．５ｍｍであるチェーンリンク並びに、ピッチが９ｍｍ〜１２ｍｍの間であるチェーンリンクを有している。本発明の別の実施例によれば、リンクプレートチェーンが、２つまたはそれ以上の異なるリンクプレート長さを有して構成されている。
【００２０】
旋回制限装置は、９ｍｍと同じか又はこれよりも大きいピッチを有する部材と、１つ又は２つの隣接し合うチェーンリンクとの間の最大旋回角度が３５゜よりも小さい、有利には３０゜よりも小さい、特に有利には２８゜よりも小さい、さらに特に有利には２１゜と２８゜との間であることを保証するように構成されている。また有利には、旋回制限装置は、隣接し合うそれぞれ２つのチェーンリンク間で、これらのチェーンリンクのピッチに関連して、及び場合によっては走行曲率半径（この曲率半径に沿ってリンクプレートチェーンが駆動中に移動せしめられる）に関連して最大旋回角度が規定されるように構成されている。
【００２１】
隣接し合う２つのチェーンリンクの旋回角度は、特にチェーンリンクの一方が、隣接し合うチェーンリンクが一列に並んで配列される位置から変位する角度である。
【００２２】
旋回制限装置は特に、チェーン内側方向への旋回又はチェーン外側方向への旋回或いは両方向への旋回のための隣接し合う２つのチェーンリンクの旋回角度を制限するように構成されている。
【００２３】
前記課題は、請求項３に記載したリンクプレートチェーンによって解決される。
【００２４】
本発明によれば特に、隣接し合う２つのチェーンリンクを旋回可能に接続する少なくとも１つのジョイント装置のクレードル部材が、往復旋回運動後にその互いに相対的な初期位置に、並びに場合によってはそれぞれ隣接し合うチェーンリンクに対する初期位を有するように保証する装置が設けられている。この場合、有利には、チェーン平面内でのクレードル部材の横断面はそれぞれ非対称（アシンメトリー）に構成されている。
【００２５】
初期の相対位置は、特に、「往−旋回」の開始において与えられるクレードル部材の相対位置である。特に有利には、ジョイント装置のクレードル部材が往復旋回運動後にその初期の相対位置を有することを保証する装置が次のように構成されていることである。つまり、「往−旋回運動」が、チェーン内側方向で又はチェーン外側方向で又はこれらの任意の方向で行われる時に、初期の相対位置が再び与えられることが保証されるように構成されていることである。特に有利には、この装置は、往復旋回運動のための初期位置が、このクレードル部材対によって旋回可能に接続されたチェーンリンクが直線的に整列された位置である場合に、初期の相対位置が再び与えられることが保証されるように構成されている。有利には、この装置は、隣接し合うチェーンリンクがほぼ任意の旋回運動後に再び基準位置に戻る場合、つまり特にチェーンリンクがほぼ直線的に整列された相対位置に戻る場合に、このクレードル部材が互いに、及び場合によっては隣接するチェーン部材に対するそれぞれ同じ相対位置を有することを保証する。
【００２６】
前記課題は、請求項４に記載したリンクプレートチェーンによって解決される。
【００２７】
本発明によれば特に、チェーンリンクのリンクプレートの少なくとも一部は、その外側輪郭が、チェーンのほぼ走行方向に延びる突起を有するように構成されている。この突起は走行方向で特にチェーンの端面側に愛知されていて、有利な形式で、ほぼチェーン内側に向けられた端面側の領域に配置されている。
【００２８】
チェーンリンクの走行方向とは、本発明においては特に、チェーンが種々異なる円錐プーリー若しくは円錐円板（Ｋｅｇｅｌｓｃｈｅｉｂｅｎ）に巻き掛けられて、円錐円板が回転するようになっている場合に、チェーンリンクが移動せしめられるチェーンリンクのそれぞれの走行方向のことである。特に走行方向とは、各チェーンリンクが個別に移動せしめられるそれぞれの方向付け、及び／又はこの移動方向とは逆方向の方向付けのことである。
【００２９】
チェーン内側とは、本発明においては特に、エンドレスに閉じられたチェーンリンクの半径方向内側領域のことである。
【００３０】
リンクプレートの端面側とは、本発明では特に、リンクプレートをリンクプレートチェーンの長手方向若しくは走行方向で制限する面のことである。
【００３１】
リンクプレートの単数又は複数の突起は、特に、隣接する少なくとも１つのクレードル部材と場合によっては協働して、隣接し合うチェーンリンクの旋回角度がチェーン内側又はチェーン外側方向で、或いは両方向で制限されるように作用する。突起は有利には、チェーンリンク内側又はチェーンリンク外側或いはこれらの両方向への旋回後に、隣接し合うチェーンリンクの緊締が阻止されるように構成されていてもよい。
【００３２】
前記課題は、請求項５に記載したリンクプレートチェーンによって解決される。
【００３３】
本発明によれば特に、リンクプレートチェーンのチェーンリンクはそれぞれ多数のリンクプレートを有しており、これらのリンクプレートは、少なくとも部分的に有利には全部に単数又は複数の開口を備えており、これらの開口を通って、２つのクレードル部材対が延びていて、これらのクレードル部材を介してチェーンリンクのリンクプレートが枢着されており、若しくはこれらのクレードル部材を介してチェーンリンクがそれぞれ１つの隣接するチェーンリンクに若しくはリンクプレートに枢着されている。リンクプレートの少なくとも一部は非対称（アシンメトリー）に構成されていて、一方ではチェーンの走行方向に配置された第１の端面側と、チェーンの走行方向でこの端面側の次に位置する開口との間の一方の壁厚、また他方では、チェーンリンクの走行方向に配置された第２の端面側とこの第２の端面側の次に位置する開口との間の他方の壁厚が異なっており、特に一方の壁厚が他方の壁厚よりも大きい。このような異なる壁厚は、それぞれ走行方向に対して垂直方向で一定であるか又は異なって構成されていてよい。
【００３４】
壁厚とは、本発明においては、特にそれぞれの端面側と、チェーンの走行方向で見てこの端面側の次に位置する、それぞれの開口の箇所との間の間隔のことであるので、特にそれぞれの端面側の各箇所には、次のような壁厚が配属されている。つまり、チェーンの走行方向に対して垂直に配置された所定の仮想平面（この端面側の次に位置する開口の、この端面側の次に位置する箇所を通って延びる）からの端面側の前記箇所の間隔に関連した壁厚が配属されている。
【００３５】
有利な形式で、端面側の、チェーン内側に向いた領域における壁厚は種々異なっている。特に有利には、この種々異なって構成された壁厚は特に、リンクプレートチェーンの走行方向に配向で、チェーン内側に向けられた端面の領域内に突起が延びており、この突起が例えば鼻状に構成されていることによって得られる。特に有利にはさらに、リンクプレートチェーンの走行方向に配置された一方の端面側から２つ又は多数の突起が延びており、この場合これらの突起のうちの１つが、チェーン外側に向いた領域内に配置されていて、こられたの突起のうちの１つが端面の、チェーン内側に向けられた領域内に配置されている。特に有利には、チェーン外側に向けられた突起は、チェーンが、この突起を有するチェーンリンクと共に１つの作業側区分（Ｔｒｕｍｍ）を介して円形運動で移動せしめられた後で、所定の旋回角度で、場合によっては、走行方向で隣接するクレードル部材に当接し、それによってチェーンの過大な旋回を阻止するように構成されていて、これに対して、チェーン内側に向けられた突起は隣接し合う２つのチェーンリンクの旋回運動、特にチェーン内側に向けられた旋回運動を制限する。場合によっては、チェーン外側に向けられた突起はさらに、隣接し合う２つのチェーンリンクの旋回、特にチェーン外側に向けられた旋回を制限する。
【００３６】
前記課題はさらに、請求項６に記載したリンクプレートチェーンによって解決される。
【００３７】
本発明によれば特に、クレードル部材表面接触領域の湾曲部曲率半径に対するリンクプレート表面接触領域の湾曲部曲率半径の比は、１０より小さい、有利には８より小さい、特に有利には６より小さい、特に有利には５より小さい、特に有利には３より小さい、特に有利には２より小さい。本発明の実施例によれば、リンクプレート表面接触領域の湾曲部曲率半径は、クレードル部材表面接触領域の湾曲部曲率半径のほぼ２倍である。
【００３８】
湾曲部曲率半径は、特に隣接し合うチェーンリンクのそれぞれの旋回位置、若しくはこの旋回位置に配属された表面接触領域に関連している。
【００３９】
クレードル部材表面接触領域とは、本発明においては、クレードル部材の特に次のような表面領域のことである。つまり、隣接し合うチェーンリンクが旋回運動する際に、このクレードル部材に対して旋回方向で相対運動せしめられる、隣接するチェーンリンクの単数又は複数のリンクプレートが接触する、クレードル部材の表面領域のことである。このクレードル部材並びにその他のクレードル部材は、隣接し合う２つのチェーンリンク間の同じジョイント装置に配属されている。
【００４０】
リンクプレート表面接触領域とは、本発明においては、クレードル部材表面接触領域がそれぞれ接触する単数若しくは複数のリンクプレートの表面領域のことである。
【００４１】
この表面接触領域とはそれぞれ、隣接し合うチェーンリンクのそれぞれ所定の旋回位置で互いに接触し合う表面領域のことであるか、又は特に全体的にそれぞれ構造的に可能な種々異なる旋回角度においてはこの領域の全体のことである。
【００４２】
クレードル部材表面接触領域とリンクプレート表面接触領域とはそれぞれ丸味を付けて形成されており、この場合、リンクプレート表面接触領域の湾曲部曲率半径並びにクレードル部材表面接触領域の湾曲部曲率半径は、種々異なる旋回角度に関連してそれぞれ一定に又は一定ではなく構成されている。
【００４３】
クレードル部材表面接触領域に対するリンクプレート表面接触領域の湾曲部曲率半径の比は、旋回位置に関連して一定であるか又は一定ではない。
【００４４】
前記課題は、請求項７に記載したリンクプレートチェーンによって解決される。
【００４５】
本発明によれば特に、ジョイント装置の少なくとも１つのクレードル部材のクレードル部材表面接触領域と、隣接し合うチェーンリンクの旋回時にこのクレードル部材に対して相対的に移動する少なくとも１つのリンクプレートのリンクプレート表面接触領域とが接触するようになっており、この場合、リンクプレート表面接触領域が、このリンクプレート表面接触領域の領域で有利には次のような表面領域を有している。つまり、この表面領域は、半径方向で開口を制限していて、この開口を通ってクレードル部材対が延びており、この表面領域は応力に関して問題のない領域に配置されている。
【００４６】
この応力に関して問題のない領域とは、特に、リンクプレートチェーンの駆動中に生じた応力が著しく小さい領域のことである。特に、リンクプレートチェーンの駆動中に生じた、このリンクプレート表面接触領域の応力は、それぞれのリンクプレートの開口のその他の表面領域内における応力よりも小さい。特に有利にはこのリンクプレート表面接触領域は、リンクプレートの開口を半径方向で制限する表面内に配置されており、この表面は、それぞれの開口を半径方向で制限する、開口の表面の５０％、有利には３５％、有利には２５％、有利には２０％、有利には１０％である。この開口の表面内でリンクプレートチェーンの駆動中の応力は、この開口の種々異なる表面領域におけるよりも小さい。
【００４７】
前記課題は、請求項８に記載したリンクプレートチェーンによって解決される。
【００４８】
本発明によれば特に、少なくとも１つのチェーンリンクの少なくとも１つのリンクプレートが、クレードル対を受容するための開口を有しており、この開口の輪郭は狭窄部を有しており、この場合、この狭窄部の壁部の領域内に単数若しくは複数のリンクプレート表面接触領域が配置されており、このリンクプレート表面接触領域は、隣接し合うチェーンリンクの旋回時にクレードル部材表面接触領域と接触する。
【００４９】
有利には、リンクプレートの開口内に設けられた狭窄部によって、この開口を通って延びる２つのクレードル部材対が互いに分離されている。
【００５０】
前記課題は請求項９に記載したリンクプレートチェーンによって解決される。
【００５１】
本発明によれば、それぞれのチェーンリンクのリンクプレートが、隣接し合うチェーンリンクを互いに旋回可能に枢着接続する各ジョイント装置のジョイント軸線方向で、その位置をほぼ維持することを保証する。
【００５２】
前記課題は、請求項１０に記載したリンクプレートチェーンによて解決される。
【００５３】
本発明によれば、それぞれ多数のリンクプレートを有する、互いに隣接し合う２つのチェーンリンクが、ジョイント装置を介して旋回可能に互いに枢着されており、この場合、少なくとも１つの弾性的な装置が設けられていて、この装置は、所定のリンクプレート有利には、所定のジョイント装置に延びるすべてのリンクプレートを、このジョイント装置のジョイント軸線方向で負荷する。
【００５４】
弾性的な装置は、特にばねであって、このばねは、皿ばね又はコイルばね又は板ばね又はその他の形式で構成されたばねである。特に有利には、このばねは、リンクプレートの開口を通って延びるクレードル部材の回りに延びている。有利にはばね若しくは弾性的な装置は、ジョイント装置の軸線方向で隣接し合う２つのリンクプレート間に配置されていて、このジョイント装置の周囲に延びるすべての軸線を負荷する。
【００５５】
特に有利には、ジョイント措置は固定装置を有しており、若しくはジョイント装置は固定装置と連結されている。この固定装置は、弾性装置によって、リンクプレートを介してジョイント装置の軸線方向に伝達される力を受容する。
【００５６】
弾性的な装置は、金属又はプラスチック又はその他の材料より製造されている。
【００５７】
前記課題はさらに、請求項１１に記載したリンクプレートチェーンによって解決される。
【００５８】
本発明によれば特に、それぞれのジョイント軸線の回りに延びるリンクプレートの全遊びが０．２ｍｍよりも小さく、有利には０．１ｍｍよりも小さく、有利には０．０５ｍｍよりも小さく、また有利には０．０２ｍｍよりも小さいことを保証する装置を有するリンクプレートチェーンが設けられている。この装置は、特に有利には弾性的な装置として構成されている。特に有利には、ジョイント装置のジョイント軸線方向でのリンクプレートの可動性は、固定部材によって制限されている。
【００５９】
有利な形式でこの全遊びは、０．１ｍｍよりも小さいか、若しくはリンクプレートがジョイント装置の軸線方向で（弾性的な装置によって場合によって生ぜしめられた力は度外視して）、ほぼ摩擦なしであれば、前記その他の値よりも小さい。
【００６０】
前記課題はさらに、請求項１２に記載したリンクプレートチェーンによって解決される。
【００６１】
本発明によれば特に、リンクプレートの可動性をクレードル部材の方向で制限するストッパが設けられており、この場合このストッパは、ジョイント軸線方向でのリンクプレートの実際の厚さ若しくは実際の製造公差を考慮して、またリンクプレートのそれぞれの厚さ及び数を考慮して、またジョイント軸線方向で互いに接し合うリンクプレートパケットの厚さを考慮して配置されている。
【００６２】
特に本発明によれば、前記ストッパは固定部材である。特に有利には、それぞれのリンクプレートを通って延びるクレードル部材に、若しくはこのクレードル部材対に溶接点が配置されており、この溶接点は、リンクプレートの可動性をクレードル部材端部の方向で制限し、リンクプレートパケットの実際の厚さに関連して個別に設定されるので、ジョイント軸線方向でのリンクプレートの可動性は、できるだけ小さく維持される。
【００６３】
本発明によるリンクプレートチェーンは、有利にはトルク伝達装置に使用されており、このトルク伝達装置は、特に有利には、車両の無段変速機（ＣＶＴ）として構成されている。
【００６４】
有利な無段変速機の構造について以下に詳しく説明する。
【００６５】
無段変速機は、入力装置と出力装置とを有しており、この入力装置と出力装置との間でトルクの伝達が行われる。
【００６６】
入力装置と出力装置とは、それぞれ有利には円錐円板組若しくは円錐円板対として構成されている。
【００６７】
円錐円板組は、有利には２つの円錐円板を有しており、これらの円錐円板はその狭くなった端部で互いに向き合っている。
【００６８】
これの円錐円板組間で、リンクプレートチェーンとして構成された巻き掛け手段によてトルクが伝達される。このために、リンクプレートチェーンは、入力装置の円錐円板組にも、また出力装置の円錐円板組にも巻き掛けられる。
【００６９】
入力装置の２つの円錐円板並びに出力装置の円錐円板は、それぞれ軸方向で互いにずらして配置されているので、円錐円板のそれぞれの間隔は軸方向で変えることができる。有利には、入力装置並びに出力装置の円錐円板対は、それぞれ１つの軸に相対回動不能に（つまり一緒に回転するように）支承されている。有利には、各円錐円板対のそれぞれ一方の円錐円板がこの軸上に軸方向で不動に、また他方の円錐円板が軸方向で摺動可能に支承されている。
【００７０】
有利な形式で、巻き掛け手段（ここではリンクプレート）は、入力装置及び出力装置の円錐円板組に巻き掛けられるので、リンクプレートによって入力装置と出力装置との間でトルクが伝達される。リンクプレートチェーンは有利には閉じて、つまりエンドレスチェーンとして構成されていて、多数のチェーンリンクを有しており、これらのチェーンリンクがジョイント装置を介して互いに旋回可能に枢着されている。チェーンリンクは、それぞれ多数の、有利には互いに並んで平行に配置されたリンクプレートを有しており、こられのリンクプレートには開口が設けられていて、この開口を通ってクレードル部材対が延びている。この場合、互いに異なる２つのチェーンリンク間のジョイント結合は、特にクレードル部材対がそれぞれリンクプレートの開口を通って、互いに隣接し合うチェーンリンクの走行方向に延びている。ジョイント装置のクレードル部材対は、それぞれ同じに又は異なって構成されている。有利には、このクレードル部材対のクレードルは、それぞれ第１のチェーンリンクのリンクプレートに相対回動不能に連結されていて、このクレードル部材対の第２のクレードル部材が、走行方向で隣接し合うチェーンリンクのリンクプレートに相対回動不能に連結されている。このクレードル部材対のクレードル部材は、それぞれ１つの転動面を有しており、この転動面で、クレードル部材は、それぞれ他方のクレードル部材の転動面に沿って転動し、それによって直接接するチェーンリンクの旋回運動が可能となる。
【００７１】
クレードル部材は１つの開口だけを有していて、この開口内に異なるジョイント装置の２つのクレードル部材対が延びているいるか、又は各クレードル部材対がそれぞれ１つの別個の開口を有している。２つのクレードル部材対のために１つの開口だけが設けられている場合には、場合によってはこの開口は開口横断面の狭窄部を有しており、この狭窄部は、２つのクレードル部材対が横断面狭窄部の種々異なる側に保持されるように構成されている。場合によってはクレードル部材はそれぞれ、プレス嵌めによって、それぞれチェーンリンクのリンクプレート内に、軸方向でも堅固に配置されている。
【００７２】
リンクプレートチェーンは、有利には２つ又は３つのリンクプレートをまとめた、２−又は３−リンクプレート結合で構成されている。
【００７３】
リンクプレートを通って延びるクレードル部材は、それぞれのクレードル部材の軸方向でリンクプレートの外側に、開放しているか又は閉じている緊締ブラケット（Ｋｌｅｍｍｂｕｅｇｅｌ）又は結合ブラケット（ｖｅｒｂｉｎｄｕｎｓｂｕｅｇｅｌ）等の固定部材、或いは溶接点又はこれと類似のものを有している。リンクプレートは有利には、クレードル部材がその軸方向の両側で、ジョイント装置の領域内に延びるリンクプレートパケットから突き出すように、構成されている。同じジョイント装置に配属されたクレードル部材は、同じ長さ又は異なる長さを有していて、同じ構成又は異なる構成の端面側を有している。
【００７４】
有利には、少なくとも１つのクレードル部材の端面側は、各円錐円板の各円錐円板対が回転する際に、これらの端面側と円錐円板との間に作用する摩擦力によって、入力装置と出力装置の間でトルクがリンクプレートチェーンを介して伝達されるように、構成されている。
【００７５】
クレードル部材の端面側は、斜めに面取りされているか又は丸味を付けら、特に凹状に丸味を付けられているか、又はその他の形状に構成されている。
【００７６】
同じチェーンリンクに配属されたリンクプレートは、特にその幾何学形状に関連して同じに又は異なって構成することができる。特に、チェーンリンクの内側のリンクプレートの開口の輪郭形状及び／又は外側輪郭形状は、同じであるか又は異なって構成されている。
【００７７】
種々異なるチェーンリンクのチェーンリンクは、同様に特に、その幾何学形状に関連しても、同じに又は異なって構成されていてよい。
【００７８】
チェーンリンクのピッチ（Ｔｅｉｌｕｎｇ）、つまりジョイント装置（このジョイント装置を介してそれぞれのチェーンリンクが隣接するチェーンリンクに枢着されている）のジョイント軸線間の間隔は、リンクプレートチェーンの種々異なるチェーンリンクにおいて同じであるか又は異なって構成されている。
【００７９】
有利には、入力装置は、内燃機関等の自動車駆動装置に連結されていて、出力装置は、駆動軸等の自動車の被駆動側に連結されている。入力装置並びに出力装置の円錐円板若しくは円錐円板対の調節は、有利には同時に行われる。円錐円板対の円錐形の形状に基づいて、円錐円板対の走行曲率半径は、円錐円板対の円錐円板の間隔が減少されると、半径方向で外方に移動し、この円錐円板対の間隔が増大されると、半径方向内方に移動する。
【００８０】
本発明において、走行曲率半径とは、特に、クレードル部材がそれぞれの円錐円板に接触する曲率半径又は平均曲率半径のことである。
【００８１】
入力装置並びに出力装置の円錐円板対を規定して同時に調節することによって、本発明によれば、一定長さのリンクプレートチェーンが、入力装置と出力装置との間のトルクを中断なしに伝達することが可能である。
【００８２】
有利な形式で、入力装置並びに出力装置の円錐円板対は操作装置によって付加される。操作装置は、機械式及び／又は液圧式及び／又は電磁石式及び／又は空圧式又はその他の形式で構成されている。有利な形式で操作装置は液圧装置を有している。
【００８３】
本発明による有利な操作装置は、円錐円板対のそれぞれ少なくとも１つの円錐円板が軸方向で特に液圧式に負荷されるように構成されている。有利には、このために軸方向で摺動可能に支承された円錐円板（液圧流体で満たされている）に室が隣接している。
【００８４】
特に有利には、液圧式に構成された操作装置は、トルクセンサが設けられていて、このトルクセンサが、トルク例えば入力装置を負荷するトルクに関連して、液圧流体内若しくは所定の室内に、所定の条件下で軸方向に調節可能な円錐円板に作用する圧力を作用させる。有利な形式でえ各円板対にはトルクセンサが設けられているか、又は２つの円錐円板対のために共通のトルクセンサが設けられている。
【００８５】
特に有利には、所定の条件下でトルクセンサによって生ぜしめられて、円錐円板に軸方向で作用する圧力に、若しくはこの圧力によって円錐円板に作用する力に、液圧流体の圧力若しくはこの圧力に作用して各円錐円板に軸方向で作用する力が重畳される。この力の大きさは弁によって調節することができる。この弁は、有利な形式で電磁操作式の弁である。この弁は、弁に供給される電流に関連して弁開口横断面を変化させ、それによって圧力源とは反対側に与えられる、液圧流体の圧力が弁位置及びひいては電流に関連して変化せしめられる。
【００８６】
この液圧流体内で調節される圧力に関連して、軸方向で摺動可能に配置された円錐円板が負荷され、この場合、軸方向で摺動可能な種々異なる円錐円板が、同じ力又は種々異なる力で負荷される。
【００８７】
有利な形式で、軸方向で摺動可能に配置された円錐円板は、調節された伝達比がほぼ維持される保持力で負荷されるようになっているので、リンクプレートチェーンによってそれぞれの円錐円板に作用する静的な又は動的な力は、調節された切換え位置若しくは伝達比が変えられるように作用しない。この保持力の大きさは、有利には入力装置と出力装置との間のそれぞれ調節ｓれた伝達比に基づいている。特に有利にはこの保持力に、必要であれば、種々異なる円錐円板対の円錐円板において異なる調節力が重畳されるので、入力装置と出力装置との間の伝達比が変えられるようになっている。
【００８８】
有利にはチェーンリンクの少なくとも一部が、チェーンのほぼ走行方向に延びる突起を有しており、この突起は、隣接し合う２つのチェーンリンクの旋回角度を制限する。この突起は、次のようなリンクプレートに配置されている。つまり、リンクプレートチェーンの最短のリンクプレートよりも長いリンクプレート、及び／又はピッチがリンクプレートチェーンの最短のピッチよりも大きいリンクプレートに配置されている。特に有利にはこの突起は、最も長いリンクプレートに、及び／又はリンクプレートチェーン内に最大のピッチを有しているリンクプレートにだけ配置されている。
【００８９】
有利には、リンクプレートチェーン内には、種々異なる長さ及び／又は種々異なるピッチを備えた種々異なるリンクプレートが設けられており、種々異なる長さ及び／又は種々異なるピッチを備えた種々異なるリンクプレートは、それぞれチェーンの走行方向に延びる少なくとも１つの突起を有していて、この突起は、長いリンクプレートにおいて、又は大きいピッチを有するリンクプレートにおいて、それぞれ、より短いリンクプレート若しくは小さいピッチを有するリンクプレートにおけるよりも大きい。
【００９０】
隣接し合う２つのチェーンリンクの旋回角度を制限する突起は、前もって規定された最大旋回角度において、ストッパに当接し、この場合ストッパは、特にチェーンの走行方向で隣接し合うジョイント装置の１つのクレードル部材である。有利な形式で、ストッパ及び突起の表面輪郭形状は、突起がストッパに突き当たる際にストッパに点接触だけで当接しないように、その幾何学形状に関連して互いに合致されている。有利な形式で突起は、ストッパに当接する領域で、ストッパの領域のネガティブ（Ｎｅｇａｔｉｖ）な輪郭形状部に相当する表面幾何学形状を有しており、この輪郭形状部に突起が当接するか又は突起にこの輪郭形状部が当接する。
【００９１】
本発明による有利なリンクプレートチェーンは、少なくとも２つのチェーンリンクを有しており、これら２つのチェーンリンクのうちの一方が、第１のチェーンリンクとして、また他方が第２のチェーンリンクとして記載されており、これらのチェーンリンクは、そのリンクプレートの長さ又はそのピッチが互いに異なっている。
【００９２】
チェーンリンク内には、単数又は複数の第１及び／又は第２のチェーンリンクを設けることができる。第１のリンクプレートを有する第１のチェーンリンクと、これに隣接する第２のチェーンリンクとの間の第１の旋回角度は、第１の所定の旋回角度に制限されている。この隣接するチェーンリンクは、場合によっては、第１のリンクプレートを有する第１のチェーンリンクであるか、又は第２のリンクプレートを有する第２のチェーンリンクである。
【００９３】
第２のリンクプレートを有する第２のチェーンリンクと、これに隣接する、場合によっては第１のチェーンリンク又は第２のチェーンリンクであるチェーンリンクとの間の第２の旋回角度は、第２の所定の最大旋回角度に制限されている。
【００９４】
第２の最大旋回角度は、有利には、第２のチェーンリンク若しくは第２のリンクプレートのピッチと第１のチェーンリンク若しくは第１のリンクプレートのピッチとから計算される商と、第１の最大旋回角度との積である。有利な形式で、隣接し合う２つのチェーンリンク間の若しくは２つの短いチェーンリンク間に形成される最大旋回角度は、１５゜〜２５゜の間、有利には１７゜〜２１゜の間である。
【００９５】
長いリンクプレートを有する１つ若しくは２つリンクプレートチェーン間の第２の最大旋回角度は、有利には２０゜〜３０゜の間、特に有利には２２゜〜２７．５゜の間である。
【００９６】
旋回角度若しくは、最大旋回角度に旋回角度を制限するということは、本発明においては特に、隣接し合う２つのチェーンリンク間の旋回角度が、一方のチェーンリンクが隣接するチェーンリンクに対して、チェーン内側方向で及び／又はチェーン外側方向で旋回せしめられる旋回運動に関連して制限されているということである。
【００９７】
特に有利には、少なくともリンクプレートの一部に設けられている突起は、隣接し合う２つのチェーンリンクの旋回が、チェーン内側方向で、所定の最大旋回角度に制限されるように作用する。
【００９８】
有利には、リンクプレートに形成された開口及び／又はこの開口を通って延びるクレードル部材の輪郭形状は、旋回角度が、チェーン外側方向で最大旋回角度に制限されるように構成されている。
【００９９】
有利には、所定のリンクプレートに延びる突起は、旋回角度がチェーン外側方向で制限され、また旋回角度がチェーン内側方向で制限されるように、延びている。
【０１００】
有利には、緊締防止装置及び／又は旋回制限装置及び／又は、同じジョイント装置のクレードル部材が隣接し合うチェーンリンクの往復旋回運動後に互いのその初期の相対位置を有することを保証する装置、及び／又はリンクプレートチェーンの走行方向に延びる、リンクプレートの突起は、次のような場合でも、又は少なくとも次のような場合でも働くようになっている。即ち、チェーンがリンクプレートチェーンとして用いられる場合でも又は少なくともこの場合でも、つまり特にチェーンが円錐円板巻き掛け伝動装置又はこれと類似のものに組み付けられない場合でも及び、場合によって搬送される場合でも、又は少なくともこの場合でも、働くようになっている。
【０１０１】
有利には、リンクプレートチェーンは、少なくとも１つの第３のチェーンリンク並びに少なくとも１つの、この第３のチェーンリンクに隣接する第４のチェーンリンクを有している。この第４のチェーンリンクは第３のチェーンリンクに対して旋回せしめられる。第３のチェーンリンクは少なくとも１つの第３のリンクプレートを有していて、第４のチェーンリンクは少なくとも１つの第４のリンクプレートを有しており、この第４のリンクプレートは第３のリンクプレートに枢着されている。つまり少なくとも１つの特に２つのクレードル部材を有するジョイント装置を介して枢着されている。クレードル部材は、第３のチェーンリンクが第４のチェーンリンクに対して旋回せしめられる際に、少なくとも１つの第３及び／又は第４のリンクプレートに対して移動、特に旋回せしめられる。
【０１０２】
第４のチェーンリンクは、有利には第１の又は第２のチェーンリンクであって、第４のリンクプレートは有利には第１又は第２のリンクプレートである。
【０１０３】
有利には第３のチェーンリンクは、第１の又は第２のチェーンリンクであって、第３のリンクプレートは第１又は第２のリンクプレートである。
【０１０４】
有利には、少なくとも１つの第３のチェーンリンク若しくは少なくとも１つの第３のリンクプレート及び、少なくとも１つの第４のチェーンリンク若しくは少なくとも１つの第４のリンクプレートは、ジョイント装置を介して接続されており、このジョイント装置は、２つのクレードル部材つまり第３及び第４のクレードル部材を有している。場合によっては第３のリンクプレートのうちの少なくとも１つに接続されている第３のクレードル部材は、隣接し合うチェーンリンクの旋回運動時に、少なくとも１つの第４のリンクプレートに対して移動せしめられる。場合によっては少なくとも１つの第４のリンクプレートに相対回動不能に連結されている第４のクレードル部材は、チェーンリンクの旋回運動時に、少なくとも１つの第３のリンクプレートに対して移動、つまり特に旋回せしめられる。
【０１０５】
有利には、クレードル部材とリンクプレート（このリンクプレートを通ってクレードル部材が延びていて、このリンクプレートに対してクレードル部材が旋回せしめられる）との間の遊びは、旋回運動中に特に半径方向で０．１ｍｍよりも小さい。特に有利にはこの遊びは、０．０７ｍｍよりも小さい、特に有利には０．０５ｍｍよりも小さい、特に有利には０．０３ｍｍよりも小さい。特に少なくとも１つのリンクプレート並びに少なくとも１つのクレードル部材は、このリンクプレートの開口を通って延びるクレードル部材が、旋回運動時に、このクレードル部材に対して比較的狭いリンクプレート内側輪郭形状に追従するように、構成されている。
【０１０６】
有利には、リンクプレートの開口を通って延びるクレードル部材は、運転中にこのリンクプレートに対して旋回せしめられて、少なくとも所定の旋回角度において、クレードル部材表面接触領域で、リンクプレート表面接触領域に接触する。
【０１０７】
リンクプレート表面接触領域は、特に、クレードル部材が延びるリンクプレートの開口を半径方向で制限する、壁部の領域である。
【０１０８】
リンクプレート表面接触領域は、チェーン外側又はチェーン内側に向いた、クレードル部材の方向に配置されているか、又はクレードル部材から見て、リンクプレートチェーンの走行方向で、つまりリンクプレートチェーンが運転中に移動する配列で、又はこれと逆の配列で配置されている。
【０１０９】
リンクプレート表面接触領域は、リンクプレート表面のその他の位置にも配置することができる。
【０１１０】
有利な形式でリンクプレート表面接触領域とクレードル部材表面接触領域とは丸味を付けて若しくは湾曲して形成されていて、特に相対運動時に、クレードル部材表面接触領域がリンクプレート表面接触領域の湾曲部に向かって移動せしめられ、及びそれとは逆にリンクプレート表面接触領域がクレードル部材表面接触領域の湾曲部に向かって移動せしめられるように構成されている。
【０１１１】
有利には、リンクプレート表面接触領域は、その湾曲部曲率半径がほぼ２．５ｍｍ〜４ｍｍの間、有利には３．０〜３．６ｍｍの間であって、クレードル部材表面接触領域の湾曲部曲率半径が１ｍｍ〜２．５ｍｍの間、有利には１．５〜１．８ｍｍの間である。
【０１１２】
有利な形式で、リンクプレートを負荷する弾性的な装置若しくはばね装置を有しており、この装置のばね定数（Ｆｅｄｅｒｒａｔｅ）は、２Ｎ／ｍｍから５０Ｎ／ｍｍの間、特に１０Ｎ／ｍｍ〜２０Ｎ／ｍｍの間である。
【０１１３】
特に有利にはこの弾性的な装置は、この装置によって負荷されたリンクプレートの遊び（１０ｍｍ、有利には５ｍｍ、有利にはほぼ２ｍｍ〜０．５ｍｍの間隔に相当する）を補償することができるように構成されている。
【０１１４】
前記課題はさらに、請求項４２に記載された無段変速機によって解決される。
【０１１５】
前記課題はさらに、請求項４３に記載したリンクプレートチェーンを製造するための方法によって解決される。
【０１１６】
本発明に記載された請求項は、広範囲の特許保護を降るための偏見のない実施態様の提案である。本特許出願人は、以上記載した説明及び／又は図面のみに開示された特徴以外の特徴を請求する権利を留保する。
【０１１７】
従属請求項において使用した引用関係は、それぞれの従属請求項の特徴によって主請求項の対象のさらなる実施態様について言及するものであって、引用された複数の従属請求項の特徴の組み合わせのための独立した具体的な保護の獲得を放棄したものではない。
【０１１８】
優先権主張日における従来技術に関連した従属請求項の対象は、固有の独立した発明を形成するものであるので、本特許出願人は、これらの従属請求項の対象を、独立請求項の対象とし、また分割の対象とする権利を留保する。従属請求項の対象はさらに、先行する従属請求項の対象から独立した構成を有する独立し発明を有するものでもある。
【０１１９】
実施例は本発明をこれに限定するものではない。むしろ、本発明の枠内で多くの変化実施例及び改良が可能であって、特に次のような変化例、部材及び組み合わせ及び／又は材料が可能である。つまり、課題の解決策を考慮した、例えば一般的な説明及び実施形態並びに請求項に記載され図面に含まれた特徴若しくは部材又は当業者のための方法段階等と関連して取り出すことができ、また製造方法、検査方法及び作業方法に関する限り、組み合わせた特徴によって新たな対象又は新たな方法段階若しくは方法の連続を生ぜしめる変化例、部材及び組み合わせ及び／又は材料が可能である。
【０１２０】
【発明の実施の形態】
図１には、本発明の第１実施例によるリンクプレートチェーンのリンクプレート１０が示されており、このリンクプレートは、本発明によるリンクプレートチェーンの同じ形状の又は異なる形状のリンクプレートと組み合わせることができる。リンクプレート１０は、第１の領域１４と第２の領域１６とを備えた貫通開口１２を有している。
【０１２１】
開口１２の輪郭形状若しくは開口１２の壁部は、第１の領域１４と第２の領域１６とが狭窄部２０によって分離されていて、第２の領域１６と第３の領域１８とが狭窄部２２によって分離されるように、構成されている。
【０１２２】
狭窄部２０は、開口１２を特に半径方向で制限する壁部２４が、開口１２内に延びる２つの突起２６，２８を有していて、これらの突起が互いにほぼ向き合うように、構成されている。
【０１２３】
狭窄部２２は、壁部２４が、開口１２の内部に延びる２つの突起３０，３２を有していて、これらの突起が互いにほぼ向き合うように、構成されている。
【０１２４】
突起２８，３２は、開口１２を矢印３８によって示したチェーン内側方向で制限する、壁部２４の領域から延びているか若しくはこの領域に向かって延びている。つまり、突起２８，３２は、ほぼ矢印３によって示したチェーン内側方向に延びている。
【０１２５】
突起２６，３０は、開口１２をチェーン外側４０に向かって制限する壁部２４の領域から延びているか若しくはこの領域に向かって延びている。つまり突起２６，３０は、ほぼチェーン内側３８の方向に延びている。
【０１２６】
第１の領域１４並びに第２の領域１６は、それぞれ１対のクレードル部材を受容するために用いられる。
【０１２７】
突起２０，２２は、それぞれ図示していないクレードル部材対が第１の領域１４若しくは第２の領域１６から、２重矢印で示したリンクプレートチェーンの走行方向で外れるのを阻止する。
【０１２８】
図１に示したリンクプレート１０は、そのリンクプレートチェーンの走行方向に延びる中央の軸線３６に関連して非対称に、特に開口１２の壁部２４の輪郭に関連して非対称に構成されている。
【０１２９】
リンクプレート１０は、この中央の軸線３６に対して垂直に延びる軸線（図示せず）に対して、特に開口１２の壁部２４の輪郭に関連して対称に又は非対称に構成されている。
【０１３０】
軸線３４に関連して非対称な、壁部２４の輪郭の形状は特に、チェーン内側の壁部２４に向かって延びる突起２８，３２が、チェーン外側の壁部２４に配置された突起２６，３０がチェーン内側３８に向かって延びるよりも長く延びるように構成されている。突起２６，２８，３０；３２は特に丸味を付けてノーズ状（鼻状）に形成されている。
【０１３１】
２重矢印４６によって示された、チェーン内側の壁部２４に配置された突起２８の高さは、開口１２をチェーン外側方向で制限する壁部２４に配置された突起２６の高さ４８の少なくとも１０％有利には２０％、又は少なくとも４０％、又は少なくとも５０％、又は少なくとも７０％、又は少なくとも９０％、又は少なくとも１００％、又は少なくとも１２０％、又は少なくとも１５０％、又は少なくとも２００％である。
【０１３２】
２重矢印５０によって概略的に示された、チェーン内側の壁部２４に配置された突起３２の高さは、チェーン外側の壁部２４でチェーン内側３８の方向に延びる、矢印５２で示された突起３０の高さの少なくとも１０％有利には少なくとも２０％、又は少なくとも４０％、又は少なくとも５０％、又は少なくとも７０％、又は少なくとも９０％、又は少なくとも１００％、又は少なくとも１２５％、又は少なくとも１３０％、又は少なくとも２００％である。
【０１３３】
突起２８の高さ４８は、開口１２の、第１の領域１４の、チェーン外側４０の最も遠い側に位置するポイント５４と、走行方向３４に対して垂直な方向でチェーン内側３８に最も近いポイント５６との間の間隔に相当する。同様に、リンクプレートチェーンの走行方向３４に対して、若しくはチェーンプレートリンクの長手方向軸線若しくは中央軸線３６に対して垂直な方向で、突起２８の高さ４６は、チェーン外側４０に最も遠い側に位置する、突起２８のポイント５８と、チェーン内側３８に最も近い側に位置する、第１の領域４４のポイント６０との間の間隔であり、突起３２の高さ５０は、チェーン外側４０に最も近い側に位置する、突起３２のポイント６２と、チェーン内側３８に最も近い側に位置する、開口１２の第２の領域１６のポイントとの間の距離であり、突起３０の高さ５２は、チェーン内側３８に最も近い位置にある、ポイント３０のポイント６６と、チェーン外側４０に最も近い位置にある、第２の領域１６のポイント６８との間の間隔である。
【０１３４】
破線７０，７２で、チェーン内側３８側に向いた、公知のリンクプレートの壁部２４の輪郭が概略的に示されている。
【０１３５】
特に、突起２８若しくは３２の形状によって、リンクプレート１０が、このリンクプレート１０に旋回可能に接続若しくはヒンジ接続（枢着）された隣接するリンクプレート（図示せず）に対して相対的に、チェーン内側３８に向かって旋回せしめられる際に、所定の最大旋回角度が制限されるように働く。
【０１３６】
この旋回は、特に図示していないクレードル部材と協働して行われる。
【０１３７】
有利な形式で、突起２８の高さ４６及び／又は突起３２の高さ５０及び／又は突起３０の高さ５２及び／又は突起２６の高さ４８は、それぞれ高さ４６，４８，５０，５２に配属されたポイント６０とリンクプレート１０の中央の長手方向軸線３６との間の間隔の少なくとも３０％有利には４５％、又は少なくとも６０％、又は少なくとも７５％、又は少なくとも８５％、又は１００％よりも大きい寸法に構成されている。この場合、突起２８及び２６若しくは３２及び３０は接触しない。
【０１３８】
図２には、本発明によるリンクプレートに用いられるリンクプレート８０の１例としての実施例が示されている。
【０１３９】
リンクプレート８０は、第１の領域１４と第２の領域１６とを備えた開口１２を有している。この第１の領域１４及び第２の領域１６通ってそれぞれ１対のクレードル部材が延びており、この１対のクレードル部材を介してリンクプレート８０は、それぞれ隣接するチェーンリンクのリンクプレートとヒンジ接続（枢着）される。開口１２の内輪郭若しくは開口１２の壁部２４の形状は、図１を用いて詳しく説明されているように構成されるか、又は公知のリンクプレートのように図１を餅って又はその他の形式で構成される。
【０１４０】
リンクプレート８０の外輪郭には突起が設けられており、この突起は、このリンクプレート８０の端面側８４で、リンクプレートチェーンのの走行方向３４に延びている。
【０１４１】
この突起は、チェーン内側３８に向いた、端面側８４の領域８６内に配置されている。
【０１４２】
破線８８で、リンクプレート８０の外側輪郭の１実施例が示されている。このリンクプレート８０は、リンクプレート内側３８側に向いた、端面８４の領域８６内で突起８２を有していない。
【０１４３】
突起８２は特に、隣接するチェーンリンクのジョイント装置のクレードル部材などのストッパと協働して、アンチ・緊締防止及び／又は旋回防止として作用するように構成されており、及び／又は、同じジョイント装置に配属された２つのクレードル部材が、互いに及びこのチェーンリンクに対してほぼ最初の相対位置を有する、ジョイント装置によって結合されたチェーンリンクの往復旋回後に作用する装置として構成されている。
【０１４４】
図３には、本発明によるリンクプレートチェーンの１実施例が示されており、、これは、リンクプレートチェーンの走行方向３４で隣接し合って配置された多数のチェーンリンク１００，１０２，１０４を有している。それぞれ走行方向３４で隣接し合うチェーンリンクは、それぞれジョイント装置１０６，１０８，１１０を介して互いに旋回可能に結合されている。
【０１４５】
ジョイント装置１０６，１０８，１１０は、それぞれ２つのクレードル部材１１２，１１４を有しており、これらのクレードル部材は、チェーンリンク１００，１０２，１０４のそれぞれのリンクプレート８０の開口１２を通って延びている。同じジョイント装置１０６，１０８，１１０に配属されたクレードル部材１１２，１１４は、同じ又は異なる幾何学的形状を有している。
【０１４６】
種々異なるジョイント装置１０６，１０８，１１０に配属されたクレードル部材１１２，１１４は、同じ又は異なる幾何学的形状を有している。
【０１４７】
リンクプレート８０は、同じチェーンリンク１００，１０２，１０４内で同様に又は異なって構成されている。
【０１４８】
種々異なるチェーンリンク１００，１０２，１０４のリンクプレート８０は、同様に又は異なって構成されている。
【０１４９】
少なくとも１つのリンクプレート８０は、チェーンリンクの走行方向３４に延びる突起８２を有しており、この突起８２は、走行方向３４で見て、リンクプレートの一方の端面側に配置されている。このような形式の突起は、例えば図２を用いて詳しく説明されている。
【０１５０】
それぞれ隣接し合うチェーンリンク１０２，１０４は、それぞれクレードル部材１１２，１１４を備えたジョイント装置１８を中心にして旋回させることができる。突起８２は、この隣接するチェーンリンクの所定の旋回角度（最大旋回角度αｍａｘ）において、この隣接するチェーンリンクがチェーン内側３８の方向でさらに旋回することが阻止されるように働く。このさらなる旋回を阻止するために、突起８２は、隣接するジョイント装置１０６のクレードル部材１１４に当接する。
【０１５１】
旋回角度αは特に、一方のチェーンリンクの長手方向１１６に対して垂直に整列された一方の直線と、隣接する他方のチェーンリンクの長手方向１１８に対して垂直に整列された他方の直線との２つの直線によって形成された角度である。
【０１５２】
突起８２と、この突起８２のためのストッパとして働くクレードル部材１１４とは、有利な形式で、選択的に又は付加的に、緊締防止装置として、及び／又は同じジョイント装置に配属されたクレードル部材１１２，１１４が、このジョイント装置１０８によって接続されたチェーンリンク１０２，１０４の往復旋回運動後に、ほぼ互いに最初の相対位置又はこのチェーンリンク１０２，１０４に対する相対位置を有するように保証する装置として働く。
【０１５３】
図４には、本発明によるリンクプレートチェーンの１実施例の一部破断した概略図が示されており、この概略図では、それぞれジョイント装置１０６によって互いに接続された多数のチェーンリンク１００，１０２が設けられている。図４には、チェーンリンク１００，１０２のそれぞれ１つのリンクプレート１８０，１８２が図示されている。リンクプレート１００，１８０は、特にその外側輪郭形状及び内側輪郭形状に関連して、同じ形状を有しているか又は異なる形状を有していてよい。チェーンリンク１００若しくは１０２（そのうちの１つだけが図示されている）内の種々湖となるリンクプレート１８０，１８２は、同様に同じ形状で形成されているか又は異なる形状で形成されていてよい。
【０１５４】
ジョイント装置１０６はクレードル部材１１２，１１４を有しており、これらのクレードル部材１１２，１１４は、それぞれの転動面１８４，１８６を介して互いに転動することができる。
【０１５５】
チェーンリンク１００，１０２は図４に示されているように、チェーン内側３８に向かって旋回せしめられている。チェーンリンク１０２若しくはリンクプレート１８２に対してほぼ回動不能に配置されているクレードル部材１１２は、リンクプレート１８０若しくはチェーンリンク１００に対する種々異なる相対位置を有する２つの旋回位置を成している。このクレードル部材１１２は、クレードル部材表面接触領域１８８を有しており、このクレードル部材表面接触領域１８８は、所定の旋回位置で、リンクプレート１８０のリンクプレート表面接触領域１９０に接触する。リンクプレート表面接触領域１９０におけるリンクプレート１８０のそれぞれ湾曲部曲率半径１９２は、これがクレードル部材１１２のクレードル部材表面接触領域１８８における外側表面のそれぞれ湾曲部曲率半径１９４のほぼ２倍に相当するように構成されている。
【０１５６】
クレードル部材表面接触領域１８８は、開口１２の第１の領域１４若しくは第２の領域１６内に配置されている。図４では、クレードル部材表面接触領域１８８は、壁部２４の１領域である。壁部２４は、第１の領域１４内で又は第２の領域１６内で、矢印４０で概略的に示されたチェーン外側の方向で制限されている。クレードル部材表面接触領域は、壁部２４のその他の領域に配置してもよい。例えば特に第１の領域１４内又は第２の領域１６内で開口１２をチェーン内側３８方向で制限する領域内に配置してもよい。
【０１５７】
特にクレードル部材表面接触領域１８８は、開口１２の第１の領域若しくは第２の領域１６内に配置されている。つまり、チェーン外側４０又はチェーン内側３８に最も遠くに向けられた壁部２４の部分領域内に配置されている。
【０１５８】
図５には、本発明によるリンクプレートチェーンの１実施例の一部断面した概略図が示されている。
【０１５９】
特に、２つの隣接し合う同じチェーンリンクを接続するジョイント装置１０６に配属された、１つのリンクプレート１０と２つのクレードル部材１１２，１１４が図示されてる。クレードル部材１１２は、２つの異なる旋回位置で示されていて、リンクプレート１０に対して相対的に、隣接し合うチェーンリンクが旋回せしめられる際に旋回せしめられる。少なくとも１つのチェーンリンクのリンクプレートは、開口１２を制限する壁部２４の領域で突起２６，２８を有しており、これらの突起２６，２８は、特に前述の図面を用いて既に詳しく説明されている。クレードル部材１１２とリンクプレート１０の内側輪郭との協働作業は、リンクプレート表面接触領域１９０がほぼ突起２６の領域内に配置されているように構成されている。
【０１６０】
選択的に、クレードル部材表面接触領域は（図５に図示されていない）、特に突起２８に配置された壁部２４の領域（開口１２をチェーン内側３８の方向で制限する）内にも配置されている。
【０１６１】
リンクプレート表面接触領域１９０は、特に突起２６の表面領域内に配置されており、この突起２６は、クレードル部材１１２の可動性をリンクプレートチェーンの走行方向３４で制限する。
【０１６２】
図６は本発明の１実施例の概略図を示している。
【０１６３】
図面では特に、２つのチェーンリンクを互いに枢着（ヒンジ接続、旋回可能接続）するジョイント装置と、このジョイント装置に隣接するそれぞれ１つのチェーンリンクに配属されたリンクプレート２１２とが図示されている。
【０１６４】
クレードル部材１１２の長手方向軸線２１７の方向でのリンクプレートの遊びを、例えば０．０２ｍｍ又は０．０１ｍｍ又は０．００５ｍｍ又は０．００２ｍｍ又はこれと類似の所定の値よりも小さく保つことを保証する装置２１４，２１６が設けられている。
【０１６５】
この装置２１４，２１６は、リンクプレートパケットの外側でクレードル部材１１２に取り付けられている。つまり、リンクプレートパケットに対してできるだけ小さい間隔を保って取り付けられている。種々異なるジョイント装置のために、この装置２１４，２１６のそれぞれの位置は、特に、製造公差によって制限されてリンクプレートパケット間で場合によっては変化する、リンクプレートパケットのそれぞれ実際の厚さに関連して、それぞれ個別に規定されている。このような形式で、特に、リンクプレートの製造に制限された厚さの差を補償することができる。この厚さの差は、そうでなければ、継手軸線方向でもリンクプレート２１２の不都合な可動性を生ぜしめる。特にクレードル部材１１２における溶接点２１４，２１６の位置は、個別に規定される。
【０１６６】
破線２１８は、図６では溶接点２１４，２１６の１例としての位置を示している。この位置において、溶接点２１４，２１６は、リンクプレート２１２がその厚さに関連して製造によって制限された公差を有していない場合に、位置決めされる。本出願人において公知であるリンクプレートチェーンの１実施例では、この溶接点は、ジョイント装置におけるリンクプレートパケットの実際の厚さとは無関係に、破線２１８で示された位置に設定されるので、溶接点は、各ジョイント装置においてほぼ同じである。
【０１６７】
各ジョイント装置のための溶接位置を変えることによって、特にリンクプレートチェーンの耐用年数は高められ、運転確実性は改善される。
【０１６８】
溶接点２１４，２１６は、特に、このリンクプレート２１２の可動性を制限するリンクプレート２１２のためのストッパとして作用する。このストッパ若しくは溶接点２１４，２１６の位置は、クレードル部材１１２の周囲に延びるリンクプレート２１２の数に関連して、若しくは長手方向軸線２１７の方向でのリンクプレート２１２の厚さに関連して規定される。
【０１６９】
有利な形式で溶接点２１４，２１６は、それぞれ、クレードル部材１１２の端面２２０と、この端面２２０に最初に当接する、リンクプレートパケットのリンクプレート２１２との間の間隔が、クレードル部材２１２の他方の端面２２２と、この端面２２２に最初に当接するリンクプレートパケットのリンクプレート２１２との間の間隔に相当するように、位置決めされている。
【０１７０】
図７には弾性的な装置２３０が図示されており、この弾性的な装置２３０は、リンクプレート２１２をクレードル部材１１２の長手方向軸線２１７の方向で負荷し、それによってリンクプレートの遊びをこの長手方向軸線２１７の方向で補償することができる。これによって、弾性的な装置は特に、リンクプレートがほぼそのそれぞれの位置で保持されるように作用する。リンクプレートはさらに、ストッパで支えられるか、若しくは固定部材２３２，２３４が設けられており、この固定部材２３２，２３４は、リンクプレートの可動性が長手方向軸線２１７方向で制限されるように作用する。
【０１７１】
弾性的な装置２３０は特にばね装置である。弾性的な装置は、プラスチック材料より成っているか、又はばね鋼等の金属又はその他の材料より成っている。
【０１７２】
ばね装置はさらばね装置又は渦巻きばね装置として、或いは図８に示されているようにＳ字形に構成されたばね装置又はその他の形式で構成されている。
【０１７３】
図９には、本発明の別の実施例が概略的に示されている。
【０１７４】
本発明によるリンクプレートチェーンの隣接し合うチェーンリンク１００，１０２は、クレードル部材２６０，２６２を有するジョイント装置１０６，１０８，１１０を介して連結されている。これらのクレードル部材２６０，２６２は、互いに転動し合い、ジョイント装置に隣接するリンクプレート２６６，２６８の開口２６４を通って延びている。この開口２６４の横断面は狭窄部２７０，２７２を有しており、この狭窄部は、リンクプレート内側輪郭２８２内の突起２７４，２７６，２７８，２８０によって形成される。クレードル部材２６０，２６２は場合によっては、チェーンリンク１００，１０２の一方のリンクプレート２６６，２６８の少なくとも一方とそれぞれ相対回動不能に連結されていて、それぞれ他方のチェーンリンク１００，１０２のリンクプレート２６６，２２８に対して回転可能に配置されている。つまり特に所定の箇所で遊び２８４を有している。
【０１７５】
場合によっては所定の領域で、リンクプレート２６６，２６８の各内側輪郭２８２とそれぞれのクレードル部材２６０との間に遊びは存在しない。この場合、この内側輪郭２８２若しくはそれぞれのクレードル部材２６０，２６２の領域は、それぞれのクレードル部材２６０，２６２に対するそれぞれの内側輪郭２８２の相対可動性は、旋回方向で、図９に示された基準位置において相応に接触することによって妨げられない。
【０１７６】
クレードル部材２６０，２６２並びにリンクプレート２６６，２６８の形状及び特に、リンクプレート内側輪郭２８２若しくは突起部２７４，２７６，２７８，２８０の形状は、少なくとも１つのクレードル部材２６０，２６２が、リンクプレート外側４０の方向に向けられた、このチェーンリンク１００，１０２の旋回において、所定の最大旋回角度で、このクレードル部材２６０，２６２に対して回転可能に配置されたリンクプレート２６６，２６８のリンクプレート内側輪郭２８２に当接し、それによって少なくともチェーン外側４０方向で、このチェーンリンク１００，１０２がさらに旋回せしめられるように構成されている。
【０１７７】
この場合、特にこのクレードル部材２６６，２６８は、リンクプレート内側輪郭２８２の突起２７６に当接し、この際に遊び２８４が所定の箇所でゼロに等しくなる。
【０１７８】
前述のように、チェーン内側方向での旋回は、それぞれのリンクプレート２６６，２６８のリンクプレート外側輪郭２８６の突起８２が隣接するジョイント装置１１０のクレードル部材２６０と協働することによって制限される。
【０１７９】
図９に示された実施例の異なる旋回位置を示す図１０及び図１１を用いて、特に種々異なる旋回方向での旋回角度が詳しく説明されている。
【０１８０】
図１０によれば、チェーン外側４０方向に旋回せしめられた最大相対位置におけるチェーンリンク１００，１０２が示されている。
【０１８１】
チェーンリンク１００，１０２がほぼ直線（ｌｉｎｅａｒ）状に整列された、図９に示した基準位置から、このチェーンリンク１００，１０２がチェーン外側４０方向に旋回せしめられて最大旋回角度αｍａｘ，ａｕｓｓｅｎを占める、図１０に示した旋回位置に、旋回せしめられる間、ジョイント装置１０８のクレードル部材２６０，２６２はその転動面３００，３０２で互いに転動し合う。
【０１８２】
この転動運動若しくは旋回運動中に、所定の位置若しくは、クレードル部材２６０と、開口２６４を制限する、リンクプレート２６６の内側輪郭２８２との間の所定の領域で遊び２８４が生じ、この遊び２８４に対してクレードル部材２６０は回転可能に配置されている。この箇所若しくはこの領域は、図９に示した実施例では、クレードル部材２６０の端部領域３０４と突起２７６の領域３０６との間に形成されている。
【０１８３】
図１０に示された最大旋回位置で、この遊び２８４はほぼゼロであり、クレードル部材２６０は突起２７６に当接し、チェーン外側４０方向でさらに旋回することは阻止される。
【０１８４】
突起８２は、この最大の旋回角度αｍａｘ，ａｕｓｓｅｎにおいて、チェーンリンク１００，１０２のチェーン外側に向けられた旋回においてほぼ自由であるので、特に隣接するクレードル部材２６０に当接しない。
【０１８５】
図１１は、チェーンリンク１００，１０２が、チェーン内側３８方向で旋回せしめられた最大相対位置つまり最大旋回角度αｍａｘ，ｉｎｎｅｎを示す。
【０１８６】
この相対位置で、クレードル部材２６０と、リンクプレート２６６の開口を制限する内側輪郭２８２との間の所定の箇所若しくは所定の領域間で遊び２８４が生じる。つまり特にクレードル部材２６０の端部領域と突起２７６の領域又は突起２７６全部又は内側輪郭２８２全部との間で遊びが生じる。リンクプレート輪郭２８２とクレードル部材２６０との間に場合によっては生じる遊びなしの領域は、特にガイドのために用いられる。チェーンリンク１００，１０２の互いに相対的な旋回可能性は、図９〜図１１に示した実施例では、チェーンリンク１００，１０２がチェーン内側３８方向で互いに相対的に旋回せしめられる際に、クレードル部材１１２とリンクプレート１０の内側輪郭２８２との協働作業によって制限又は阻止される。
【０１８７】
図１１に示した、チェーンリンク１００とチェーンリンク１０２との間の相対位置において、チェーン内側３８方向に向けられた、チェーンリンク１０２に対するチェーンリンク１００の相対的なさらなる旋回は、特にクレードル部材２６０′が突起８２と協働することによって避けられるか若しくはロックされる。この協働作業は、特に、前述のように、つまりクレードル部材２６０′が突起８２に当接するように構成される。
【０１８８】
チェーンリンク１０２に対するチェーンリンク１００の旋回可能性をチェーン内側３８方向で制限するクレードル部材２６０′は、チェーンリンク１０２に対するチェーンリンク１００の旋回可能性をチェーン外側３８方向で制限するクレードル部材２６０とは異なっている。これらのクレードル部材２６０，２６０′は、それぞれチェーンリンク１００のリンクプレートの開口２６４を通って延びているが、種々異なるジョイント装置１０８，１１０に配属されている。
【０１８９】
前記特に図９〜図１１においては主として、隣接し合うチェーンリンク１００，１０２間の旋回角度の制限について説明されている。本発明の１実施例の構成によって、つまり一方ではクレードル部材１１２とリンクプレート１の内側輪郭２８２との協働、他方ではクレードル部材２６０′と突起８２との協働によって、クレードル部材２６０，２６２′は往復旋回後にその最初の（初期の）相対位置を再び有するか、及び／又はチェーンリンク１００，１０２は旋回時に緊締されないように、保証される。
【０１９０】
本発明において「緊締；Ｖｅｒｋｌｅｍｍｅｎ」とは、同じジョイント装置１０６，１０８，１１０に配属されたクレードル部材２６０，２６２が全体として、往復運動時に隣接するチェーンリンク１００，１０２に対して回転する、つまり「往運動」後に全体として、「復運動」前に占めた位置に対して回転する、ということを意味する。
【０１９１】
本明細書に記載された請求項は、継続的な発明保護を得るための偏見なしの提案である。本発明の出願人は、ここまで詳細な説明及び／又は図面にだけ開示された特徴のさらなる組み合わせを請求する権利を留保する。
【０１９２】
従属請求項で用いられた引用関係は、それぞれの従属請求項の特徴による主請求項の対象のさらなる構成について言及したものであって、引用された複数の従属請求項の特徴の組み合わせのための独立した具体的な保護を得ることを放棄するものではない。
【０１９３】
従属請求項の対象は、優先権主張日における従来技術を考慮して固有の独立した発明を形成することができるので、本発明の出願人は、従属請求項の対象を、独立請求項の対象又は部分説明とすることを留保する。従属請求項の対象はさらに、先行する従属請求項の対象から独立した態様を有する独立した発明を含有することができる。
【０１９４】
図示の実施例は本発明をこれに限定するものではなき。むしろ本発明の枠内で多くの変化実施例及び修正が可能であって、特に、例えば一般的な説明及び実施例並びに請求項に記載され、図面に含まれた特徴若しくは部材又は、当業者のための方法段階と連絡して、課題の解決策に関連して取り出すことができる変化例、部材及び組み合わせ及び／又は材料が可能である。また、製造法、検査法及び作業法に関する限り、いくつかの特徴を組み合わせることによって、新たな対象又は方法段階若しくは方法段階の連続を生ぜしめることができる。
【図面の簡単な説明】
【図１】本発明の第１実施例によるリンクプレートチェーンの概略的な部分図である。
【図２】第２実施例によるリンクプレートチェーンの概略的な部分図である。
【図３】第３実施例によるリンクプレートチェーンの概略的な部分図である。
【図４】第４実施例によるリンクプレートチェーンの概略的な部分図である。
【図５】第５実施例によるリンクプレートチェーンの概略的な部分図である。
【図６】第６実施例によるリンクプレートチェーンの概略的な部分図である。
【図７】第７実施例によるリンクプレートチェーンの概略的な部分図である。
【図８】第８実施例によるリンクプレートチェーンの概略的な部分図である。
【図９】第９実施例によるリンクプレートチェーンの概略的な部分図である。
【図１０】図９に示したリンクプレートチェーンの第１の旋回位置を示す概略的な部分図である。
【図１１】図９に示したリンクプレートチェーンの第２の旋回位置を示す概略的な部分図である。
【符号の説明】
１０  リンクプレート、  １２  貫通開口、  １４  第１の領域、  １６  第２の領域、  １８  第３の領域、  ２０，２２  狭窄部、  ２４  壁部、  ２６，２８;３０，３２  突起、  ３４，３６  軸線、  ３８  矢印、  ４０  チェーン外側、  ４４  第１の領域、  ４６  ２重矢印、  ４６，４８，５０，５２高さ、  ５０．５２  ２重矢印、  ５４，５６，５８，６０  ポイント、８０リンクプレート、  ８２  突起，  ８２，１１４  旋回制限装置、  ８４  端面側、  ８６  領域、  ８８  破線、  １００，１０２，１０４  チェーンリンク、  １０６，１０８，１１０  ジョイント装置、  １１２，１１４  クレードル部材、  １８０，１８２  リンクプレート、  １８４，１８６  転動面、  １８８  クレードル部材表面接触領域、  １９０  リンクプレート表面接触領域、１９２，１９４  湾曲部曲率半径、  ２１２  クレードル部材、  ２１４，２１６  装置、  ２１７  長手方向軸線、  ２１８  破線、  ２２０  端面、  ２２２  端面側、  ２３０  弾性的な装置、  ２３２，２３４  固定部材、  ２６０，２６２  クレードル部材、  ２６４  開口、  ２６６，２６２  リンクプレート、  ２７０，２７２  狭窄部、  ２７４，２７６，２７８，２８０  突起、２８２  内輪郭、  ２８４  遊び、  ２８６  リンクプレート外側輪郭
【図１】
0004915001.tif 000003
【図２】
0004915001.tif 000004
【図３】
0004915001.tif 000005
【図４】
0004915001.tif 000006
【図５】
0004915001.tif 000007
【図６】
0004915001.tif 000008
【図７】
0004915001.tif 000009
【図８】
0004915001.tif 000010
【図９】
0004915001.tif 000011
【図１０】
0004915001.tif 000012
【図１１】
0004915001.tif 000013